(57)【要約】【課題】樹木の種類などの選択情報及び当該樹木の測定情報をデータベース化できるようにすると共に、当該データベースに基づいて、樹木の種類などの条件を検索キーにして伐採対象の樹木を迅速に検索できるようする。【解決手段】樹木の直径を測定する場合であって、操作部４から出力された樹木の種類の選択情報と、バーコードリーダ３により読み出されたテープ２の測定情報とを、ＣＰＵにより関連付けてデータリストとしてＥＥＰＲＯＭに保存する。この例で、テープ２の読取り面２ｃには、π尺の数値と当該数値に対応するバーコードが付されている。【選択図】  図１
2008256609.tif 000002
【特許請求の範囲】
【請求項１】
樹木の直径を測定する樹木径測定器であって、
所定位置に開口部を有した筐体と、
前記筐体の開口部から引出し及び引込み自在に当該筐体内部に収容され、測定用の印を有して当該樹木の外周を周回するように取り扱われるテープと、
前記筐体の開口部近傍に取り付けられ、前記テープの測定用の印を読み取って当該印の測定情報を出力する読出部と、
前記筐体の所定位置に取り付けられ、少なくとも前記樹木の種類を選択するようになされて選択情報を出力する操作部と、
前記操作部から出力された選択情報と、前記読出部により読み出された測定情報とを関連付けて記憶部に保存する制御部と
を備えることを特徴とする樹木径測定器。
【請求項２】
前記テープの測定用の印として直径の値を表すπ尺を使用し、
当該π尺を前記テープの読取り面にバーコード形式で付することを特徴とする請求項１に記載の樹木径測定器。
【請求項３】
前記制御部は、
前記操作部から補正情報を入力し、当該補正情報に基づいて前記樹木の直径を補正することを特徴とする請求項１に記載の樹木径測定器。
【請求項４】
前記制御部は、
前記操作部から少なくとも、鉄塔番号、測定者の名前、測定者の固有番号を含む選択情報を入力し、
当該選択情報と、前記読出部により読み出された測定情報とを関連付けて記憶部に保存することを特徴とする請求項１に記載の樹木径測定器。
【請求項５】
少なくとも前記樹木の種類及び前記樹木の直径を表示する表示部を備えることを特徴とする請求項１に記載の樹木径測定器。
【発明の詳細な説明】
【技術分野】
【０００１】
本発明は、例えば送電線下などにある伐採対象の樹木の直径を測定する樹木径測定器に関する。詳しくは、操作部から出力された樹木の種類における選択情報と、当該測定器の読出部により読み出されたテープの測定情報とを関連付けて記憶部に保存することで、関連付けられた選択情報及び測定情報をデータベース化できるようにすると共に、当該データベースに基づいて、樹木の種類などの条件を検索キーにして伐採対象の樹木を迅速に検索できるようにするものである。
【背景技術】
【０００２】
送電線下などの樹木が成長して送電線に近接してくると、当該樹木が当該送電線に接触して電気事故が発生するおそれがある。そのため従来、この樹木接触による電気事故を未然に防止するために、送電線に接触する可能性のある樹木を前もって伐採することが多い。
【０００３】
例えば、予め送電線に接触する可能性のある樹木を調査して、この樹木の樹種・胸高直径・本数を確定する。例えば、測定者が、π尺メジャーなどを使用して樹木の胸高直径を測定し、当該樹木の樹種及び胸高直径を読み上げ、記録者が、読み上げられた樹種・胸高直径などを手帳などに手書きにより記録する。このように樹種や胸高直径を記録するのは、それによって樹木伐採の補償額が変わるからである。
【０００４】
このような従来例に関連して特許文献１には、電子記録式のテープメジャーが開示されている。このテープメジャーによれば、測定者が、先ず、テープを測定対象物に合わせて引き出し、当該テープの目盛りを読み取って距離を測定する。次に、測定者は、テープメジャーの側端部に備えられたキーパッドのアップ・ダウンキーを操作して、この測定距離を入力してセーブする。このようにして、簡単に測定距離を記録する。
【０００５】
また特許文献２には、デジタル式のテープメジャーが開示されている。このテープメジャーによれば、テープには一定間隔で孔が並んでおり、当該テープが引き出された際にテープの孔が光センサー部を通過し、この光センサー部は、テープの孔を検知し、検知信号をマイクロプロセッサに出力する。このようにして、引き出されたテープの長さを測定する。
【０００６】
【特許文献１】特表２００１−５２３３４０号公報（第４頁、第１Ａ図）
【特許文献２】特開２００３−２６９９０１号公報（第３頁、第２図）
【発明の開示】
【発明が解決しようとする課題】
【０００７】
ところで、従来例に係るπ尺メジャーによれば、測定者が測定した内容を記録者に口頭で伝え、記録者がこの測定内容を記録している。しかしながら、測定者と記録者との距離が離れると測定内容が伝わり難くなる問題がある。また、現場にて手書きで手帳などに記録した測定結果を、事務所でデータ整理及び電子データ化する必要があり、手間がかかる。
【０００８】
また、特許文献１の電子記録式テープメジャーによれば、測定者が目視により読み取ったテープの目盛りを、アップ・ダウンキーを操作して測定値を電子的に記録しているので、目盛りを読み違えたり、キー操作を間違えるおそれがある。
【０００９】
また、特許文献２のデジタル式のテープメジャーによれば、テープに一定間隔で並んだ孔を光センサー部により検知して引き出されたテープの長さ（測定距離）を測定している。このとき、測定対象物の名称などを付加して記録するという要求があった場合に、この測定対象物の名称等と測定距離とを関連付けて記録することが考えられる。しかしながら、このテープメジャーは、測定対象物の名称等を入力して制御する手段を有していないので、測定対象物の名称等と測定距離とを自動的に関連付けて記録することが困難である。このため、測定対象物の名称及び測定距離をデータベース化することが難しく、測定距離のデータを検索することが困難である。
【００１０】
そこで、本発明はこのような従来例に係る課題を解決したものであって、樹木の種類などの選択情報及び当該樹木の測定情報をデータベース化できるようにすると共に、当該データベースに基づいて、樹木の種類などの条件を検索キーにして伐採対象の樹木を迅速に検索できるようにした樹木径測定器を提供することを目的とする。
【課題を解決するための手段】
【００１１】
上述した課題を解決するために、本発明に係る請求項１に記載の樹木径測定器は、樹木の直径を測定する樹木径測定器であって、所定位置に開口部を有した筐体と、前記筐体の開口部から引出し及び引込み自在に当該筐体内部に収容され、測定用の印を有して当該樹木の外周を周回するように取り扱われるテープと、前記筐体の開口部近傍に取り付けられ、前記テープの測定用の印を読み取って当該印の測定情報を出力する読出部と、前記筐体の所定位置に取り付けられ、少なくとも前記樹木の種類を選択するようになされて選択情報を出力する操作部と、前記操作部から出力された選択情報と、前記読出部により読み出された測定情報とを関連付けて記憶部に保存する制御部とを備えることを特徴とするものである。
【００１２】
本発明に係る樹木径測定器によれば、樹木の直径を測定する場合であって、引出し及び引込み自在に筐体内部に収容されたテープは、樹木の外周を周回するように取り扱われる。読出部は、当該テープの測定用の印を読み取って当該印の測定情報を制御部に出力する。操作部は、少なくとも樹木の種類を選択するようになされて選択情報を制御部に出力する。制御部は、操作部から出力された樹木の種類の選択情報と、読出部により読み出された測定情報とを関連付けて記憶部に保存する。これにより、関連付けられた選択情報及び測定情報をデータベース化できるようになる。
【発明の効果】
【００１３】
本発明に係る樹木径測定器によれば、樹木の直径を測定する場合であって、操作部から出力された樹木の種類の選択情報と、読出部により読み出されたテープの測定情報とを関連付けて記憶部に保存する制御部を備えるものである。
【００１４】
この構成によって、関連付けられた選択情報及び測定情報をデータベース化できるようになると共に、当該データベースに基づいて、樹木の種類などの条件を検索キーにして伐採対象の樹木を迅速に検索できるようになる。
【発明を実施するための最良の形態】
【００１５】
続いて、本発明に係る樹木径測定器について図面を参照しながら説明をする。
【００１６】
図１は樹木径測定器１００の構成例を示す斜視図である。図１に示す樹木径測定器１００は、例えば送電線下などにある伐採対象の樹木の直径を測定するものである。この樹木径測定器１００は、筐体１、テープ２、バーコードリーダ３、操作部４及び表示部５を備える。
【００１７】
筐体１の前面パネル１ｂの略中央部には押しボタンスイッチ６が設けられている。押しボタンスイッチ６は、例えば位置保持型（プッシュオン・プッシュオフ型）のスイッチである。この押しボタンスイッチ６が押されることにより、電源のＯＮ／ＯＦＦが切り替えられる。押しボタンスイッチ６の近傍には、ホールドボタン７が設けられている。ホールドボタン７は、電源供給を遮断する。これにより、意図しない電源ＯＮを阻止できる。
【００１８】
筐体１の前面パネル１ｂの下端部には、長方形の開口部１ａが設けられている。テープ２は、この開口部１ａから矢印Ｐ１の方向に引出し及び引込み自在に筐体１内部に収容されている。例えばテープ２は、図示しない巻き付け具に巻きつけられ、当該巻き付け具が回転自在に筐体１内部に取り付けられて収容されている。この巻き付け具は、例えば、ぜんまい（図示せず）により所定の回転方向に付勢されている。これにより、通常、テープ２は筐体１内部に収容された状態を維持する。
【００１９】
テープ２は、ストッパー２ａ及び把持部２ｂを備えている。「Ｌ」字形状のストッパー２ａは、テープ２の先端に取り付けられている。このストッパー２ａの大きさは、前面パネル１ｂの開口部１ａよりも大きく設計されている。ストッパー２ａは、テープ２の先端が開口部１ａから筐体１内部に引き込まれるのを止めている。ストッパー２ａには、湾曲した棒状の把持部２ｂが取り付けられている。把持部２ｂは、筐体１内部のテープ２を引き出す際に、測定者により把持される。テープ２の先端を持ちやすくするためである。
【００２０】
テープ２の読取り面２ｃには、測定用の印が付されている。この例で、テープ２の読取り面２ｃには、π尺の数値と当該数値に対応するバーコードが付されている。ここでπ尺とは、直径の値を表すものをいう。この例で、当該テープ２の始まりからπｃｍ間隔で、直径「１ｃｍ」を表すバーコード２ｄ、直径「２ｃｍ」を表すバーコード２ｅなどが付されている。テープ２の素材は、金属や樹脂などである。
【００２１】
バーコードリーダ３は読出部の一例として機能し、筐体１の開口部１ａ近傍に取り付けられ、テープ２の読取り面２ｃのバーコードを読み取って当該バーコードの測定情報をＣＰＵ１０（図４参照）に出力する。例えば、バーコードリーダ３には、ＣＣＤ（Charge-Coupled Devices）スキャン方式のバーコードリーダを使用する。このバーコードリーダ３は、図示しない赤色ＬＥＤ（Light Emitting Diode）、ＣＣＤセンサ（画像撮像素子）及びレンズを備えている。赤色ＬＥＤによりテープ２の読取り面２ｃのバーコード２ｄなどを照射し、この反射光をレンズにより入光してＣＣＤセンサ上にバーコードの像を作る。ＣＣＤセンサは、撮像されたバーコードを電気信号に変換してＣＰＵ１０に出力する。
【００２２】
操作部４は筐体１の側面パネル１ｃに備えられており、テンキー４０、アップキー４ａ、ダウンキー４ｂ及び確定キー４ｃから構成される。テンキー４０は、数字及び平仮名を入力する場合に使用される。アップキー４ａ及びダウンキー４ｂは、樹木の種類などを選択する場合に使用される。確定キー４ｃは、選択した樹木の種類などを確定する場合に使用される。
【００２３】
この例で、樹木の種類には「スギ」、「ヒノキ」及び「マツ」があり、アップキー４ａ及びダウンキー４ｂの操作により、表示部５にこれらの樹木の種類が順番に表示される。例えば、樹木の種類「スギ」が表示部５に表示されているときに、確定キー４ｃを押すと樹木の種類が「スギ」に確定される。
【００２４】
表示部５は、筐体１の側面パネル１ｃの操作部４の上方に取り付けられ、少なくとも樹木の種類及び当該樹木の直径を表示する。表示部５には、例えばＬＥＤやＬＣＤ（Liquid Crystal Display）などを使用する。このように、樹木径測定器１００は構成されている。
【００２５】
図２は、操作部４の構成例を示す説明図である。図２に示す操作部４のテンキー４０は、９つのボタン４１〜５２から構成されている。ボタン４１は、数字「１」及び平仮名「あ」が記載され、数字「１」又は平仮名「あ」行を入力する場合に使用される。ボタン４２は、数字「２」及び平仮名「か」が記載され、数字「２」又は平仮名「か」行を入力する場合に使用される。ボタン４３は、数字「３」及び平仮名「さ」が記載され、数字「３」又は平仮名「さ」行を入力する場合に使用される。ボタン４４は、数字「４」及び平仮名「た」が記載され、数字「４」又は平仮名「た」行を入力する場合に使用される。ボタン４５は、数字「５」及び平仮名「な」が記載され、数字「５」又は平仮名「な」行を入力する場合に使用される。ボタン４６は、数字「６」及び平仮名「は」が記載され、数字「６」又は平仮名「は」行を入力する場合に使用される。ボタン４７は、数字「７」及び平仮名「ま」が記載され、数字「７」又は平仮名「ま」行を入力する場合に使用される。ボタン４８は、数字「８」及び平仮名「や」が記載され、数字「８」又は平仮名「や」行を入力する場合に使用される。ボタン４９は、数字「９」及び平仮名「ら」が記載され、数字「９」又は平仮名「ら」行を入力する場合に使用される。ボタン５０は、数字「０」及び平仮名「わ」が記載され、数字「０」又は平仮名「わ」行を入力する場合に使用される。ボタン５１は、記号「※」が記載され、記号「※」等を入力する場合に使用される。ボタン５２は、リセットマーク「Ｒ」が記載され、入力内容をリセットする場合に使用される。
【００２６】
例えば、番号「１２３」を入力する場合、先ず、ボタン４１を１回押して数字「１」を選択し、ボタン４２を１回押して数字「２」を選択し、ボタン４３を１回押して数字「３」を選択し、次に確定キー４ｃを１回押して固有番号「１２３」を確定する。
【００２７】
また、名前「佐藤」を入力する場合、先ず、ボタン４３を１回押して平仮名「さ」を選択し、ボタン４４を５回押して平仮名「と」を選択し、ボタン４１を３回押して平仮名「う」を選択し、次にアップキー４ａ又はダウンキー４ｂを数回押して平仮名「さとう」を漢字「佐藤」変換し、最後に、確定キー４ｃを１回押して測定者の名前「佐藤」を確定する。このようにして、番号及び名前を入力する。
【００２８】
図３は、テープ２の構成例を示す上面図である。図３に示すテープ２は、当該テープ２の始まりからπｃｍ間隔で、直径「１ｃｍ」を表すバーコード２ｄ、直径「２ｃｍ」を表すバーコード２ｅ、・・・、直径「１００ｃｍ」表すバーコード２ｆが付されており、直径「１００ｃｍ」まで測定することができる。この場合、「１００」×πｃｍ以上のテープ２長が必要となる。各バーコード２ｄ〜２ｆの近傍には、バーコードの数値内容を表す値が付されている。これにより、当該機器が故障・電池切れなどの要因により、バーコードリーダリーダ３によりバーコード２ｄ〜２ｆを読み取れなくても、測定者の目視によってバーコードの数値内容を読み取って樹木の直径を確認できる。
【００２９】
なお、バーコードは周知のように、スタート・ストップキャラクタ、データ、チェックデジット、クワイエットゾーンなどから構成されている。スタート・ストップキャラクタは、データの始まりと終わりを表す文字であり、データはこの例で直径を表す情報であり、チェックデジットは読み誤りをチェックする数値であり、クワイエットゾーンはバーコードの前後の適正な余白部分である。
【００３０】
図４は、樹木径測定器１００の制御系の構成例を示すブロック図である。図４に示す樹木径測定器１００は、ＣＰＵ１０、ＲＡＭ１１、ＥＥＰＲＯＭ１２、Ｉ／Ｏポート１３、システムバス１４及び出力端子１５を備える。Ｉ／Ｏポート（Input/Output）１３は、出力端子１５や、図１に示したバーコードリーダ３、操作部４及び表示部５が接続されている。出力端子１５にはＵＳＢ（Universal Serial Bus）端子などが使用され、図示しないＰＣ（Personal Computer）などが接続される。
【００３１】
また、このＩ／Ｏポート１３は、システムバス１４を介してＣＰＵ（Central Processing Unit）１０に接続されている。ＥＥＰＲＯＭ１２（Electrically Erasable Programmable Read-Only Memory）は記憶部の一例であり、システムバス１４を介してＣＰＵ１０に接続されている。このＥＥＰＲＯＭ１２には、樹木の種類と当該樹木の直径（測定情報）とを自動的に関連付けて管理する為のプログラムが保存されている。ＲＡＭ（Random Access Memory）１１はシステムバス１４を介してＣＰＵ１０に接続され、ＥＥＰＲＯＭ１２に保存されたプログラムが、制御部の一例として機能するＣＰＵ１０により展開される。
【００３２】
プログラム展開後、ＣＰＵ１０は、樹木の種類、当該樹木の直径などを表示するための表示情報Ｄ３をＩ／Ｏポート１３を介して表示部５に出力する。表示部５は、この表示情報Ｄ３に基づいて、樹木の種類や当該樹木の直径などを表示する。樹木の種類などの情報が入力されていない場合、ハイフン記号「−」などを表示する。
【００３３】
ＣＰＵ１０は、Ｉ／Ｏポート１３を介して操作部４から出力される各々の選択情報Ｄ１を入力してＲＡＭ１１に展開する。例えば、測定者により操作部４のアップキー４ａなどが操作されて樹木の種類「スギ」が選択されると、ＣＰＵ１０は樹木の種類「スギ」の選択情報Ｄ１を入力する。選択情報Ｄ１を入力後、ＣＰＵ１０は、樹木の種類「スギ」を表示するための表示情報Ｄ３を表示部５に出力する。
【００３４】
また、ＣＰＵ１０は、Ｉ／Ｏポート１３を介してバーコードリーダ３から出力される測定情報Ｄ２を入力してＲＡＭ１１に展開する。例えば、ＣＰＵ１０は、バーコードリーダ３のＣＣＤセンサにより撮像されたテープ２の読取り面２ｃのバーコード２ｆにおける電気信号（測定情報Ｄ２）を入力する。測定情報Ｄ２を入力後、バーコード２ｆが表す数値「１００ｃｍ」を表示するための表示情報Ｄ３を表示部５に出力する。
【００３５】
また、ＣＰＵ１０は、操作部４から出力された選択情報Ｄ１と、バーコードリーダ３により読み出された測定情報Ｄ２とを関連付けてＥＥＰＲＯＭ１２に保存する。例えば、ＣＰＵ１０は、操作部４から出力された樹木の種類「スギ」の選択情報Ｄ１と、バーコードリーダ３により読み出されたバーコード２ｆにおける測定情報Ｄ２（樹木の直径「１００ｃｍ」）とを関連付けてＥＥＰＲＯＭ１２に保存する。これにより、樹木の種類と当該樹木の直径とを自動的に関連付けて管理できるようになる。従って、テープ２の測定用の印（π尺）の読取りミスや読み取った測定情報の記録ミスを防げるようになる。
【００３６】
図５は、ＥＥＰＲＯＭ１２に保存する選択情報Ｄ１と測定情報Ｄ２との関連を表すデータリスト２０の構成例を示す表図である。図５に示すデータリスト２０は、項目「樹木の種類」２０ａ、項目「直径」２０ｂ、項目「鉄塔番号」２０ｃ、項目「日時」２０ｄ、項目「固有番号」２０ｅ及び項目「名前」２０ｆから構成されている。項目「樹木の種類」２０ａには、「スギ」、「ヒノキ」及び「マツ」のいずれかが登録される。項目「直径」２０ｂには樹木の直径が登録される。項目「鉄塔番号」２０ｃには、樹木を測定した場所の鉄塔番号が登録される。項目「日時」２０ｄには、樹木を測定した時の日付及び時刻が登録される。項目「固有番号」２０ｅには、測定者の社員番号などの固有番号が登録される。項目「名前」２０ｆには測定者の名前が登録される。
【００３７】
例えば、平成１８年４月５日の１２時３０分に、社員番号「１２３」の「佐藤」さんが、鉄塔番号「００１２」の鉄塔近傍の樹木「スギ」の直径を測定すると共に、操作部４を操作して樹木の種類などの情報を入力し、当該直径が「６５ｃｍ」であった場合に、図中のデータリスト２０の一行目に示すように、項目「樹木の種類」２０ａには、「スギ」と登録され、項目「直径」２０ｂには「６５」と登録され、項目「鉄塔番号」２０ｃには「００１２」と登録され、項目「日時」２０ｄには「Ｈ１８／４／５  １２：３０」と登録され、項目「固有番号」２０ｅには「１２３」と登録され、及び項目「名前」２０ｆには「佐藤」と登録される。このように登録されたデータリスト２０は、ＣＰＵ１０によりＥＥＰＲＯＭ１２に保存される。なお、ＣＰＵは時計機能を有しており、この時計機能により日付及び時刻の情報を取得する。
【００３８】
図６Ａ及びＢは、表示部５の表示例を示す説明図である。表示部５は、日時表示部位５ａ、名前表示部位５ｂ、鉄塔番号表示部位５ｃ及び樹木径表示部位５ｄから構成されている。日時表示部位５ａは表示部５の最上部に位置し、現在の日付及び時刻が表示される。名前表示部位５ｂは、日時表示部位５ａの直下に位置し、測定者の固有番号及び名前が表示される。鉄塔番号表示部位５ｃは、名前表示部位５ｂの直下に位置し、「Ｎｏ．」の後に鉄塔の番号が表示される。樹木径表示部位５ｄは、鉄塔番号表示部位５ｃの直下に位置し、樹木の種類と当該樹木の直径が単位「ｃｍ」と共に表示される。
【００３９】
図６Ａに示す表示部５はデータ入力前の状態である。この表示部５には、日時表示部位５ａに現在の日付及び時刻「Ｈ１８．４．５  １２：２５」が表示されている。表示部５の名前表示部位５ｂ、鉄塔番号表示部位５ｃ及び樹木径表示部位５ｄには、データ未入力を表すハイフン記号「−」が表示されている。名前表示部位５ｂの先頭には、入力部位を指定する為のカーソル２２が表示されている。この状態から、図２に示した操作部４のアップキー４ａ及びダウンキー４ｂを押してカーソル２２の位置を名前表示部位５ｂ、鉄塔番号表示部位５ｃ又は樹木径表示部位５ｄに移動し、確定キー４ｃを押して所定の部位を選択する。例えば名前表示部位５ｂを選択後、操作部４のテンキー４０などを使用して、測定者の固有番号「１２３」及び名前「佐藤」を入力する。また、鉄塔番号表示部位５ｃを選択して鉄塔番号「００１２」を入力する。また更に、樹木径表示部位５ｄを選択して樹木の種類「スギ」を入力する。
【００４０】
このようにして測定者の固有番号などを入力後、樹木の直径を測定する。図６Ｂに示す表示部５はデータ入力後の状態である。図６Ｂに示す日時表示部位５ａには、現在の日付及び時刻「Ｈ１８．４．５  １２：３０」が表示され、名前表示部位５ｂには「１２３  佐藤」と表示され、鉄塔番号表示部位５ｃには「Ｎｏ．００１２」と表示され、樹木径表示部位５ｄには「スギ  ６５ｃｍ」と表示される。これにより、測定者は測定内容をその場で確認できるようになる。
【００４１】
続いて、図７及び図８を参照して、樹木径測定器１００の動作例及び使用例を説明する。図７Ａ及びＢは、樹木径測定器１００の動作例を示す斜視図である。図７Ａに示す樹木径測定器１００は未動作状態である。この例で、測定者は、樹木径測定器１００の全てのテープ２を筐体１の内部に自動的に収容すると共に、ホールドボタン７をＯＮにして、電源供給を遮断する。この状態で測定者は、樹木径測定器１００を例えば工具鞄やポケットに収納して持ち運ぶ。ホールドボタン７がＯＮに設定されているため、樹木径測定器１００の押しボタンスイッチ６が工具鞄の工具などにより誤って押されても、電源はＯＮしない。これにより、意図しない電源ＯＮを阻止できる。
【００４２】
図７Ｂに示す樹木径測定器１００は動作状態である。この例で、測定者は、ホールドボタン７をＯＦＦして押しボタンスイッチ６をＯＮにする。その後、測定者は、測定者の名前及び固有番号、鉄塔番号及び樹木の種類を操作部４を操作して入力する。このとき、ＣＰＵ１０は、操作部４から出力された選択情報Ｄ１を入力後、当該選択情報Ｄ１を表示するための表示情報Ｄ３を表示部５に出力する。表示部５は、表示情報Ｄ３に基づいて、名前表示部位５ｂに測定者の名前及び固有番号を表示し、鉄塔番号表示部位５ｃに鉄塔番号を表示し、樹木径表示部位５ｄに樹木の種類を表示する。なお、日時表示部位５ａには、電源ＯＮのときに現在の日付及び時刻を表示する。
【００４３】
測定者は、筐体１の内部に収容されたテープ２を当該テープ２の把持部２ｂを持って引き出す。テープ２を引き出すと、樹木径測定器１００のバーコードリーダ３は、当該テープ２の読取り面２ｃのバーコード２ｄ、２ｅなどを読み取って当該バーコードの測定情報Ｄ２を図４に示したＣＰＵ１０に出力する。ＣＰＵ１０は、測定情報Ｄ２を入力後、当該測定情報Ｄ２を表示するための表示情報Ｄ３を表示部５に出力する。表示部５は、表示情報Ｄ３に基づいて、樹木径表示部位５ｄに樹木の直径を表示する。
【００４４】
例えば図８Ａは、スギの樹木２１の断面図であり、当該樹木２１に樹木径測定器１００を使用して当該樹木２１の直径を測定する状態を示したものである。この例で、測定者は、図７Ｂに示した樹木径測定器１００の状態で、測定者自身の背の高さに位置する樹木２１の開始位置Ｑに、樹木径測定器１００のテープ２の先端のストッパー２ａを設定する。設定後、測定者は、樹木径測定器１００を矢印Ｐ３の方向に移動して樹木２１の外周を周回すると共に、樹木径測定器１００のテープ２を引き出す。
【００４５】
このとき、樹木２１の直径が１人で計測できない程大きい場合、測定者の１人がストッパー２ａを樹木２１の開始位置Ｑに設定し、もう一人の測定者が樹木径測定器１００を矢印Ｐ３の方向に移動して樹木２１の外周を周回する。また、樹木２１の直径が１人で計測できる程度の場合、１人の測定者がストッパー２ａを樹木２１の開始位置Ｑに片方の手で設定し、もう片方の手で樹木径測定器１００を矢印Ｐ３の方向に移動して樹木２１の外周を周回する。
【００４６】
樹木径測定器１００のバーコードリーダ３は、当該テープ２の読取り面２ｃのバーコード２ｄ、２ｅなどを順次読み取って当該バーコードの測定情報Ｄ２を図４に示したＣＰＵ１０に出力する。ＣＰＵ１０は、測定情報Ｄ２を入力後、当該測定情報Ｄ２を表示するための表示情報Ｄ３を表示部５に出力する。表示部５は、表示情報Ｄ３に基づいて、樹木径表示部位５ｄに樹木２１の直径を表示する。
【００４７】
図８Ｂに示す樹木径測定器１００は、図８Ａに示した状態から更に、樹木径測定器１００を矢印Ｐ３の方向に移動して完全に樹木２１の外周を周回し、樹木径測定器１００のテープ２の先端のストッパー２ａが設定された樹木２１の開始位置Ｑに、樹木径測定器１００が周回して戻った状態である。この状態で、測定者は、表示部５に表示された樹木２１の直径などの情報を確認する。
【００４８】
表示部５に表示された情報を保存する場合、測定者は図７Ｂに示した確定キー４ｃを押す。表示部５に表示された情報を保存しない場合、測定者は図２に示したアップキー４ａなどを操作し、表示部５の所定の表示部位５ａ〜５ｄを選択し、選択後、リセットするボタン５２を押して内容をリセットする。例えば、測定者は、樹木２１の直径を再測定する場合、表示部５の樹木径表示部位５ｄに表示された樹木２１の直径の値を選択してリセットボタンを押す。これにより、測定された内容が消去される。このようにして、樹木径測定器１００を使用して樹木２１の直径を測定する。
【００４９】
なお、例えば測定対象のスギの樹木２１に他の樹木が重なったことが原因で、測定対象の樹木２１に樹木径測定器１００を密接して測定できなかった場合、樹木径測定器１００のバーコードリーダ３の読み取り値をそのまま保存すると、誤った値（実際より大きな値）を保存することになる。この場合、測定者は、例えばアップキー４ａなどを操作してカーソル２２を樹木径表示部位５ｄに移動して確定キー４ｃを長く押す。ＣＰＵ１０は、この長押しにより、樹木２１の直径を変更する選択情報Ｄ１を入力し、樹木２１の直径の変更を受け入れるための表示情報Ｄ３を表示部５に出力する。表示部５は、この変更受け入れの表示情報Ｄ３に基づいて、例えば、樹木径表示部位５ｄの樹木２１の直径の値を点滅する。測定者は、テンキー４０を操作して、樹木２１の直径の値を補正する。例えば、測定者の目算により、樹木径測定器１００を密接して測定できなかった概算距離を求め、この概算距離を「３．１４（≒π）」で割った値を実測値に減算する。減算後、測定者は、操作部４の確定キー４ｃを押す。ＣＰＵ１０は、操作部４から補正を表す選択情報Ｄ１を入力し、当該補正情報に基づいて樹木２１の直径を補正してデータリスト２０に登録する。これにより、樹木の測定状況に応じて、樹木２１の直径の実測値を補正できる。
【００５０】
続いて、図９のフローチャートを参照して、樹木２１の直径を測定する際の樹木径測定器１００のＣＰＵ１０の動作例を説明する。ＣＰＵ１０はスリーピング機能を有し、電源ＯＮの入力を待機している。これを送電線下にある伐採対象の樹木２１の直径を測定する際の条件として、図９に示すフローチャートのステップＴ１で、ＣＰＵ１０は電源がＯＮされたか否かを判定する。ＣＰＵ１０は電源がＯＮされなかったと判定した場合、再び電源ＯＮを判定する。ＣＰＵ１０は電源がＯＮされたと判定した場合、ステップＴ２へ移行する。
【００５１】
ステップＴ２で、ＣＰＵ１０は、測定者の固有番号「１２３」や名前「佐藤」などを含んだ選択情報Ｄ１を入力したか否かを判定する。
【００５２】
この例で、操作部４のアップキー４ａ、ダウンキー４ｂが測定者により操作されて、図６Ａに示した樹木径測定器１００の表示部５のカーソル２２が移動されて名前表示部位５ｂが選択され、図２に示したように操作部４のテンキー４０、アップキー４ａ、確定キー４ｃなどが測定者により操作されて、ＣＰＵ１０は、測定者の固有番号「１２３」及び名前「佐藤」を含んだ選択情報Ｄ１を入力する。また、カーソル２２が移動されて鉄塔番号表示部位５ｃが選択され、操作部４のテンキー４０などが測定者により操作されて、ＣＰＵ１０は、鉄塔番号「００１２」を含んだ選択情報Ｄ１を入力する。また、カーソル２２が移動されて樹木径表示部位５ｄが選択され、操作部４のアップキー４ａなどが測定者により操作されて、ＣＰＵ１０は、樹木２１の種類「スギ」を含んだ選択情報Ｄ１を入力する。このような選択情報Ｄ１を入力したと判定した場合、ステップＴ３へ移行し、選択情報Ｄ１を入力しなかったと判定した場合、ステップＴ４へ移行する。
【００５３】
ステップＴ３で、ＣＰＵ１０は、入力した選択情報Ｄ１を表示するための表示情報Ｄ３を表示部５に出力する。表示部５は、表示情報Ｄ３に基づいて、図６Ｂに示したように、表示部５の名前表示部位５ｂに測定者の固有番号「１２３」及び名前「佐藤」を表示し、鉄塔番号表示部位５ｃに鉄塔番号「００１２」を表示し、樹木径表示部位５ｄに樹木２１の種類「スギ」を表示する。このとき、樹木径表示部位５ｄの樹木２１の直径は表示されていない。なお、日時表示部位５ａには、電源ＯＮのときに現在の日付及び時刻「Ｈ１８．４．５  １２：２５」を表示する。続いて、ステップＴ４へ移行する。
【００５４】
ステップＴ４で、ＣＰＵ１０は、バーコードリーダ３から出力される測定情報Ｄ２を入力したか否かを判定する。この例で、図８Ａに示したように、測定者により、樹木２１の開始位置Ｑに樹木径測定器１００のテープ２の先端のストッパー２ａが設定され、樹木径測定器１００が矢印Ｐ３の方向に移動されて樹木２１の外周を周回すると共にこの樹木径測定器１００のテープ２が引き出されると、ＣＰＵ１０は、当該テープ２の読取り面２ｃのバーコード２ｄ、２ｅなどがバーコードリーダ３により順次読み取られて当該バーコードの測定情報Ｄ２を入力する。このような測定情報Ｄ２を入力したと判定した場合、ステップＴ５へ移行し、測定情報Ｄ２を入力しなかったと判定した場合、ステップＴ６へ移行する。
【００５５】
ステップＴ５で、ＣＰＵ１０は、入力した測定情報Ｄ２を表示するための表示情報Ｄ３を表示部５に出力する。表示部５は、表示情報Ｄ３に基づいて、図６Ｂに示したように、表示部５の樹木径表示部位５ｄに例えば樹木２１の直径「６５ｃｍ」と表示する。続いて、ステップＴ６へ移行する。
【００５６】
ステップＴ６で、ＣＰＵ１０は、確定キー４ｃが押されたか否かを判定する。確定キー４ｃが押されなかった場合、ステップＴ２へ戻り、選択情報Ｄ１の入力を判定する。確定キー４ｃが押された場合、ステップＴ７へ移行する。
【００５７】
ステップＴ７で、ＣＰＵ１０は、選択情報Ｄ１及び測定情報Ｄ２を入力したか否かを判定する。ＣＰＵ１０は、選択情報Ｄ１及び測定情報Ｄ２を入力したと判定した場合、ステップＴ８へ移行する。
【００５８】
ステップＴ８で、ＣＰＵ１０は、選択情報Ｄ１と測定情報Ｄ２を関連付けたデータリスト２０（図５参照）を作成し、当該データリスト２０をＥＥＰＲＯＭ１２に保存する。この例で、ＣＰＵ１０は、操作部４から少なくとも、鉄塔番号、測定者の名前、測定者の固有番号を含む選択情報Ｄ１を入力し、当該選択情報Ｄ１と、バーコードリーダ３により読み出された測定情報Ｄ２とを関連付けてＥＥＰＲＯＭ１２に保存する。
【００５９】
例えば、ＣＰＵ１０は、ステップＴ２及びＴ４で入力した情報を、データリスト２０の項目「樹木の種類」２０ａに「スギ」と登録し、項目「直径」２０ｂに「６５」と登録し、項目「鉄塔番号」２０ｃに「００１２」と登録し、項目「日時」２０ｄに「Ｈ１８／４／５  １２：３０」と登録し、項目「固有番号」２０ｅに「１２３」と登録し、項目「名前」２０ｆに「佐藤」と登録してＥＥＰＲＯＭ１２に保存してステップＴ９へ移行する。ステップＴ９で、ＣＰＵ１０は、ＲＡＭ１１上の測定情報Ｄ２を削除してステップＴ１１へ移行する。
【００６０】
上述のステップＴ７で、ＣＰＵ１０は、選択情報Ｄ１、測定情報Ｄ２を入力しなかったと判定した場合、ステップＴ１０へ移行する。ステップＴ１０で、ＣＰＵ１０は、エラーを表す表示情報Ｄ３を表示部５に出力する。表示部５は、この表示情報Ｄ３に基づいて、例えばＣＰＵ１０が選択情報Ｄ１を入力しなかった場合、エラー内容「選択情報が入力されていません。」と表示する。また、表示部５は、ＣＰＵ１０が測定情報Ｄ２を入力しなかった場合、エラー内容「測定情報が入力されていません。」と表示する。これにより、選択情報Ｄ１の入力忘れや、測定情報Ｄ２の測定ミスを防止できる。続いて、ステップＴ１１へ移行する。
【００６１】
ステップＴ１１で、ＣＰＵ１０は、電源がＯＦＦされたか否かを判定する。電源がＯＦＦされなかったと判定した場合、ステップＴ２へ戻る。電源がＯＦＦされたと判定した場合、処理の終了となる。
【００６２】
このように、本発明に係る樹木径測定器１００によれば、樹木の直径を測定する場合であって、操作部４から出力された樹木の種類の選択情報Ｄ１と、バーコードリーダ３により読み出されたテープ２の測定情報Ｄ２とを、ＣＰＵ１０により関連付けてデータリスト２０としてＥＥＰＲＯＭ１２に保存する。
【００６３】
従って、関連付けられた選択情報Ｄ１及び測定情報Ｄ２をデータベース化できるようになると共に、当該データベースに基づいて、樹木の種類などの条件を検索キーにして伐採対象の樹木を迅速に検索できるようになる。
【００６４】
なお、樹木径測定器１００の出力端子１５にＰＣを接続してＰＣにデータリスト２０を取り込み、関連付けられた樹木の種類と当該樹木の直径の情報を、当該ＰＣにより管理することもできる。これにより、テープ２の測定用の印の読取りミスや、読み取った測定情報の記録ミスを防げる。また、樹木の種類及び当該樹木の直径のデータ入力操作を省力化できる。
【００６５】
また、樹木径測定器１００の出力端子１５にＰＣを接続する以外にも、図示しない記憶媒体（メモリカード）を樹木径測定器１００に装着してこの記憶媒体にデータリスト２０を保存し、当該記憶媒体をＰＣに装着してデータリスト２０をＰＣに取り込むようにしてもよい。
【００６６】
また、図９に示したフローチャートのステップＴ１で、ＥＥＰＲＯＭ１２に過去のデータリスト２０が保存されていれば、電源ＯＮの時に、ＣＰＵ１０が、このＥＥＰＲＯＭ１２に保存されたデータリスト２０を参照して、当該データリスト２０の一番最後に記憶した測定者の名前などの選択情報Ｄ１を参照してＲＡＭ１１に展開し、この選択情報Ｄ１を予め入力された選択情報Ｄ１とみなしてもよい。こうすれば、再び測定者の名前などの選択情報Ｄ１を入力する手間を省くことができる。
【００６７】
また、山中（急傾斜地）で樹木の径を測定することが多いが、このとき、輪尺よりも小型かつ軽量なπ尺を使用しているので、当該測定器をポケットなどに入れて持ち運びが容易になる。また、π尺は、樹木の外周から直径を測定しているので、直径を直線的に測定する輪尺と比較して樹木の測定位置（向き）によって太さの差が発生し難い。
【００６８】
また、バーコード印刷機を用いて、測定器により測定した情報をバーコードシールなどの形式で印刷することが考えられる。樹木の直径を測定後、該樹木のデータリスト２０の項目２０ａ〜２０ｆの情報を、バーコード印刷機により印刷する。印刷されたバーコードシールを測定した樹木に括り付ける。これにより、当該樹木を伐採する際に、このバーコードシールを所定のリーダーで読み取り、当該樹木の情報を確認することができる。従って、例えば誤って伐採対象外の樹木を伐採するようなことを回避できるようになる。
【００６９】
また、ＥＥＰＲＯＭ１２を樹木径測定器１００の本体内部に設けず、外部記憶媒体として着脱自在な構成としてもよい。外部記憶媒体を樹木径測定器１００の本体から取り外した場合に、当該本体を小型化できる。
【００７０】
また、樹木径測定器１００のバーコードの情報としてπ尺の値を用いたが、これに限らず、１ｃｍ単位の巻尺の値を用いてもよい。この場合、ＣＰＵ１０は、測定された値を「π」で除算して直径を算出する。
【産業上の利用可能性】
【００７１】
本発明は、例えば送電線下などにある伐採対象の樹木の直径を測定する樹木径測定器に適用して好適である。
【図面の簡単な説明】
【００７２】
【図１】樹木径測定器１００の構成例を示す斜視図である。
【図２】操作部４の構成例を示す説明図である。
【図３】テープ２の構成例を示す上面図である。
【図４】樹木径測定器１００の制御系の構成例を示すブロック図である。
【図５】選択情報Ｄ１と測定情報Ｄ２との関連を表すデータリスト２０の構成例を示す表図である。
【図６】（Ａ）及び（Ｂ）は表示部５の表示例を示す説明図である。
【図７】（Ａ）及び（Ｂ）樹木径測定器１００の動作例を示す説明図である。
【図８】（Ａ）及び（Ｂ）は樹木径測定器１００の使用例を示す説明図である。
【図９】樹木径測定器１００のＣＰＵ１０の動作例を示すフローチャートである。
【符号の説明】
【００７３】
１  筐体
１ａ  開口部
２  テープ
２ｄ〜２ｆ  バーコード（印）
３  バーコードリーダ（読出部）
４  操作部
５  表示部
１０  ＣＰＵ（制御部）
１００  樹木径測定器
【図１】
2008256609.tif 000003
【図２】
2008256609.tif 000004
【図３】
2008256609.tif 000005
【図４】
2008256609.tif 000006
【図５】
2008256609.tif 000007
【図６】
2008256609.tif 000008
【図７】
2008256609.tif 000009
【図８】
2008256609.tif 000010
【図９】
2008256609.tif 000011